(57)【要約】【課題】、防鼠部材の設置作業を容易とすることができる防鼠部材の設置構造及び防鼠部材の設置方法を提供する。【解決手段】建物１０は、複数の建物ユニット２０が連結されてなるユニット式建物である。基礎１１上には、当該基礎１１に沿って建物ユニット２０の床大梁２３が設けられており、基礎１１と床大梁２３との間には換気隙間１６が形成されている。防鼠部材４０は、換気隙間１６を閉鎖するように設けられている。防鼠部材４０は、床大梁２３に固定されているとともに、基礎１１の天端１３に押し付けられて屋外側に曲げ弾性変形した状態で設けられている。【選択図】      図１
2013221326.tif 000002
【特許請求の範囲】
【請求項１】
基礎と、当該基礎の上方において当該基礎に沿って設けられた横架材とを備え、前記基礎と前記横架材との間には通気用の隙間が形成されている建物に適用され、
前記隙間を閉鎖するように設けられ、当該隙間を通じて鼠等の小動物が床下空間へ侵入するのを防止する防鼠部材を備える防鼠部材の設置構造において、
前記基礎の上面及び前記横架材の下面は前記隙間を挟んで対向する一対の対向面部となっており、
前記防鼠部材は、前記横架材と前記基礎とのうちいずれか一方に対してのみ固定され、かつ、他方の前記対向面部に押し付けられて弾性変形した状態で設けられていることを特徴とする防鼠部材の設置構造。
【請求項２】
前記建物は、床梁、天井梁及び柱を有する直方体状の枠体と、前記枠体の側面において前記床梁及び前記天井梁に取り付けられた状態で設けられる外壁パネルとを有してなる複数の建物ユニットが互いに連結されてなるユニット式の建物であり、
前記複数の建物ユニットのうち建物一階部分を構成する建物ユニットは、前記基礎上に前記横架材としての前記床梁が配設されることにより設置されており、
前記防鼠部材は、前記床梁と前記基礎とのうちいずれか一方に対してのみ固定され、かつ、他方の前記対向面部に押し付けられて弾性変形した状態で設けられていることを特徴とする請求項１に記載の防鼠部材の設置構造。
【請求項３】
前記防鼠部材は、板状をなし、前記他方の対向面部に押し付けられて弾性曲げ変形した状態で設けられていることを特徴とする請求項１又は２に記載の防鼠部材の設置構造。
【請求項４】
前記防鼠部材は、前記他方の対向面部に押し付けられて屋外側に弾性曲げ変形した状態で設けられていることを特徴とする請求項３に記載の防鼠部材の設置構造。
【請求項５】
前記基礎及び前記横架材のうち前記他方の対向面部には、屋外側に向かうにつれて当該対向面部側に近づくように傾斜した傾斜面部を有するガイド部材が設けられ、
前記ガイド部材は、前記防鼠部材を前記基礎及び前記横架材のうち前記一方に固定した状態で前記横架材を前記基礎上に設置する際に、当該防鼠部材が屋外側に弾性曲げ変形されるよう、当該防鼠部材の端部を前記傾斜面部上に沿わせて屋外側に案内するものであることを特徴とする請求項４に記載の防鼠部材の設置構造。
【請求項６】
前記防鼠部材は、当該防鼠部材が前記基礎及び前記横架材のうち前記一方に固定された状態で前記横架材が前記基礎上に設置される際に前記他方の対向面部に押し付けられることに基づいて屋外側へ曲げ変形する構成を有していることを特徴とする請求項４に記載の防鼠部材の設置構造。
【請求項７】
前記建物は、床梁、天井梁及び柱を有する直方体状の枠体と、前記枠体の側面に前記床梁及び前記天井梁に取り付けられた状態で設けられる外壁パネルとを有してなる複数の建物ユニットが互いに連結されてなるユニット式の建物であり、
前記複数の建物ユニットのうち建物一階部分を構成する一階ユニットは、前記基礎上に前記横架材としての前記床梁が配設されることにより設置されており、
前記防鼠部材は、伸縮可能に構成されているとともに、前記各一階ユニットごとにそれぞれ設けられて各々の一階ユニットの前記床梁に固定されており、
隣り合う各一階ユニットの隣接する前記防鼠部材のうち少なくともいずれか一方が他方に向けて伸張されて互いに一部重複した状態にあり、その重複状態を保持しながらそれら各防鼠部材を互いに結合する結合手段が設けられていることを特徴とする請求項１乃至６のいずれか一項に記載の防鼠部材の設置構造。
【請求項８】
前記建物は、床梁、天井梁及び柱を有する直方体状の枠体と、前記枠体の側面に前記床梁及び前記天井梁に取り付けられた状態で設けられる外壁パネルとを有してなる複数の建物ユニットが互いに連結されてなるユニット式の建物であり、
前記複数の建物ユニットのうち建物一階部分を構成する一階ユニットは、前記基礎上に前記横架材としての前記床梁が配設されることにより設置されており、
前記防鼠部材は、前記基礎に対して固定されているとともに、隣り合う一階ユニットに跨がって延びそれら各一階ユニットの前記床梁の前記対向面部となる下面に押し付けられて弾性変形した状態で設けられていることを特徴とする請求項１乃至６のいずれか一項に記載の防鼠部材の設置構造。
【請求項９】
基礎の上方には当該基礎に沿って横架材が設けられ、前記基礎と前記横架材との間には通気用の隙間が形成されている建物に適用され、
前記隙間を通じて鼠等の小動物が床下空間へ侵入するのを防止する防鼠部材を設置する防鼠部材の設置方法において、
前記基礎の上面及び前記横架材の下面は前記隙間を挟んで対向する一対の対向面部となっており、
前記基礎及び前記横架材のうちいずれか一方に対して前記防鼠部材を固定する防鼠部材固定工程と、
前記防鼠部材固定工程の後、前記横架材を前記基礎上に設置するに際し、前記防鼠部材を他方の前記対向面部に押し付けることで弾性変形させ、該弾性変形させた状態で当該防鼠部材を設置する防鼠部材設置工程と、
を備えることを特徴とする防鼠部材の設置方法。
【請求項１０】
前記建物は、床梁、天井梁及び柱を有する直方体状の枠体と、前記枠体の側面に前記床梁及び前記天井梁に取り付けられた状態で設けられる外壁パネルとを有してなる複数の建物ユニットが互いに連結されてなるユニット式の建物であり、
前記複数の建物ユニットのうち建物一階部分を構成する一階ユニットは、前記基礎上に前記横架材としての前記床梁が配設されることにより設置されており、
前記防鼠部材固定工程では、前記基礎及び前記一階ユニットの前記床梁のうちいずれか一方に前記防鼠部材を固定し、
前記防鼠部材設置工程では、前記床梁を前記基礎上に設置することで前記一階ユニットを当該基礎上に設置するに際し、前記防鼠部材を前記他方の前記対向面部に押し付けて弾性変形させ、該弾性変形させた状態で当該防鼠部材を設置することを特徴とする請求項９に記載の防鼠部材の設置方法。
【発明の詳細な説明】
【技術分野】
【０００１】
本発明は、防鼠部材の設置構造及び防鼠部材の設置方法に関する。
【背景技術】
【０００２】
ユニット式建物は、複数の建物ユニットが互いに連結されることにより構築される建物である。建物ユニットは、梁及び柱を用いて直方体状に形成された枠体に外壁パネルや床パネル等の各種部材が取り付けられてなるものである。ユニット式建物では、基礎上に建物一階部分を構成する建物ユニット（以下、一階ユニットという）が設置される。一階ユニットの設置は同ユニットの床梁が基礎上に設置されることにより行われる。
【０００３】
基礎と一階ユニットの床梁との間には屋外と床下空間とを連通する通気用の隙間が設けられることがある。この場合、この通気隙間を通じて床下空間の換気が行われる。かかる通気隙間を有する構成では、通気隙間を通じて鼠等の小動物が床下に侵入するのを防止するために防鼠部材が設けられる場合がある。防鼠部材は、通気隙間を閉鎖するように配設され、例えば一階ユニットの床梁に固定される。また、防鼠部材は、小動物の通過ができない程度の大きさで形成された複数の通気孔を有している（例えば特許文献１参照）。これにより、小動物の床下への侵入を防止しつつ、床下の換気を行うことが可能となっている。
【先行技術文献】
【特許文献】
【０００４】
【特許文献１】実用新案登録第３０５８４３９号
【発明の概要】
【発明が解決しようとする課題】
【０００５】
防鼠部材は、基礎と一階ユニットの床梁との間の通気隙間を閉鎖するように配設されるものであるため、施工の際、基礎上に一階ユニットが設置された後当該一階ユニットの床梁に取り付けられることとなる。ここで、防鼠部材の取り付け作業は、かがんだりする等低姿勢での作業となるため作業性が悪いと考えられる。また、防鼠部材を床梁に取り付ける際には、防鼠部材の下端を基礎の天端に位置合わせする作業を併せて行う必要があり、そうすると低姿勢での作業が続いて作業負荷が大きくなってしまうおそれもある。
【０００６】
特にユニット式建物では、基礎上に一階ユニットが設置されると、それと同時に外壁パネルも設置されるため、上述した防鼠部材の取付作業を外壁パネル下で行わざるをえなくなり、作業性が著しく悪くなってしまうという問題もある。
【０００７】
本発明は、上記事情に鑑みてなされたものであり、防鼠部材の設置作業を容易とすることができる防鼠部材の設置構造及び防鼠部材の設置方法を提供することを主たる目的とするものである。
【課題を解決するための手段】
【０００８】
上記課題を解決すべく、第１の発明の防鼠部材の設置構造は、基礎と、当該基礎の上方において当該基礎に沿って設けられた横架材とを備え、前記基礎と前記横架材との間には通気用の隙間が形成されている建物に適用され、前記隙間を閉鎖するように設けられ、当該隙間を通じて鼠等の小動物が床下空間へ侵入するのを防止する防鼠部材を備える防鼠部材の設置構造において、前記基礎の上面及び前記横架材の下面は前記隙間を挟んで対向する一対の対向面部となっており、前記防鼠部材は、前記横架材と前記基礎とのうちいずれか一方に対してのみ固定され、かつ、他方の前記対向面部に押し付けられて弾性変形した状態で設けられていることを特徴とする。
【０００９】
本発明によれば、基礎と横架材との間に形成された通気用隙間を閉鎖するように防鼠部材が設けられているため、鼠等の小動物が隙間を通じて屋外から床下空間へ入り込むことが防止されている。この防鼠部材の設置に際しては、まず防鼠部材を基礎及び横架材のうちいずれか一方に対して固定し、その後基礎上に横架材を設置する。そして、横架材の設置の際に、前記一方に固定した防鼠部材を他方の対向面部に押し付けて弾性変形させ、その弾性変形状態で防鼠部材を設置する。この場合、横架材を基礎上に設置すると同時に防鼠部材を設置することが可能となる。また、防鼠部材は他方の対向面部に押し付けられて弾性変形した状態で設置されるため、防鼠部材の端部を他方の対向面部に位置合わせする作業が不要となる。よって、この場合、防鼠部材の設置作業を容易とすることができる。
【００１０】
また、防鼠部材は他方の対向面部に対して自らの弾性力によって付勢された状態で設けられるため、鼠等の小動物が防鼠部材を他方の対向面部から離間させ防鼠部材と当該対向面部との間に隙間を形成することを困難にすることができる。これにより、小動物の床下への侵入を好適に防止することができる。
【００１１】
さらに、防鼠部材を弾性変形させた状態で設置する構成では、基礎と横架材との間の隙間の上下寸法（隙間幅）にばらつきが生じていても弾性変形によってそれを吸収することができるため、ばらつきの程度にかかわらず防鼠部材を好適に設置することができるという利点もある。
【００１２】
第２の発明の防鼠部材の設置構造は、第１の発明において、前記建物は、床梁、天井梁及び柱を有する直方体状の枠体と、前記枠体の側面において前記床梁及び前記天井梁に取り付けられた状態で設けられる外壁パネルとを有してなる複数の建物ユニットが互いに連結されてなるユニット式の建物であり、前記複数の建物ユニットのうち建物一階部分を構成する建物ユニットは、前記基礎上に前記横架材としての前記床梁が配設されることにより設置されており、前記防鼠部材は、前記床梁と前記基礎とのうちいずれか一方に対してのみ固定され、かつ、他方の前記対向面部に押し付けられて弾性変形した状態で設けられていることを特徴とする。
【００１３】
本発明によれば、建物の一階部分を構成する建物ユニット（一階ユニット）の床梁と基礎との間の隙間を閉鎖すべく防鼠部材が設けられている。この場合、防鼠部材の設置に際して、まず一階ユニットの床梁及び基礎のうちいずれか一方に防鼠部材を固定し、その後一階ユニットを基礎上に設置する。具体的には、一階ユニットの床梁を基礎上に設置することで同ユニットの設置を行う。そして、この一階ユニットの設置に際し、防鼠部材を他方の対向面部に押し付けて弾性変形させ、その弾性変形状態で防鼠部材を設置する。これにより、一階ユニットの設置と同時に防鼠部材の設置を行うことができるため、一階ユニットの設置後に外壁パネル下で防鼠部材の設置作業を行う場合と比べて、防鼠部材の設置作業を極めて容易なものとすることができる。
【００１４】
第３の発明の防鼠部材の設置構造は、第１又は第２の発明において、前記防鼠部材は、板状をなし、前記他方の対向面部に押し付けられて弾性曲げ変形した状態で設けられていることを特徴とする。
【００１５】
本発明によれば、基礎及び横架材のうち一方に固定された板状の防鼠部材が他方の対向面部に押し付けられて弾性曲げ変形した状態で設置されている。この場合、例えば防鼠部材が他方の対向面部に押し付けられて圧縮変形（上下方向への弾性圧縮変形）された状態で設置される構成と比べて、基礎と横架材との間の隙間のばらつきに追従させ易いという利点がある。
【００１６】
第４の発明の防鼠部材の設置構造は、第３の発明において、前記防鼠部材は、前記他方の対向面部に押し付けられて屋外側に弾性曲げ変形した状態で設けられていることを特徴とする。
【００１７】
本発明によれば、防鼠部材が他方の対向面部に押し付けられて屋外側に弾性曲げ変形した状態で設けられているため、鼠等の小動物が屋外側から防鼠部材をこじ開ける等して防鼠部材と他方の対向面部との間から床下へ侵入するのを極めて困難とすることができる。これにより、小動物の床下への侵入防止効果を高めることができる。
【００１８】
第５の発明の防鼠部材の設置構造は、第４の発明において、前記基礎及び前記横架材のうち前記他方の対向面部には、屋外側に向かうにつれて当該対向面部側に近づくように傾斜した傾斜面部を有するガイド部材が設けられ、前記ガイド部材は、前記防鼠部材を前記基礎及び前記横架材のうち前記一方に固定した状態で前記横架材を前記基礎上に設置する際に、当該防鼠部材が屋外側に弾性曲げ変形されるよう、当該防鼠部材の端部を前記傾斜面部上に沿わせて屋外側に案内するものであることを特徴とする。
【００１９】
本発明によれば、防鼠部材を基礎及び横架材のうちの一方に固定した状態で横架材を基礎上に設置する際に、防鼠部材の端部が他方の対向面部に設けられたガイド部材の傾斜面部上に沿って屋外側に案内される。つまり、この場合、防鼠部材をガイド部材により屋外側に弾性曲げ変形するよう導くことができるため、防鼠部材を確実に屋外側に曲げ変形した状態で設置することができる。
【００２０】
第６の発明の防鼠部材の設置構造は、第４の発明において、前記防鼠部材は、当該防鼠部材が前記基礎及び前記横架材のうち前記一方に固定された状態で前記横架材が前記基礎上に設置される際に前記他方の対向面部に押し付けられることに基づいて屋外側へ曲げ変形する構成を有していることを特徴とする。
【００２１】
本発明によれば、防鼠部材を基礎及び横架材のうちの一方に固定した状態で横架材を基礎上に設置する際に、防鼠部材が他方の対向面部に押し付けられると、それに基づいて防鼠部材が屋外側に弾性曲げ変形される。これにより、上記第５の発明と同様の効果を得ることができる。また、この場合、基礎又は横架材に対して別途部材を設ける必要がないため、構成が煩雑となるのを抑制しながらかかる効果を得ることができる。
【００２２】
第７の発明の防鼠部材の設置構造は、第１乃至第６のいずれかの発明において、前記建物は、床梁、天井梁及び柱を有する直方体状の枠体と、前記枠体の側面に前記床梁及び前記天井梁に取り付けられた状態で設けられる外壁パネルとを有してなる複数の建物ユニットが互いに連結されてなるユニット式の建物であり、前記複数の建物ユニットのうち建物一階部分を構成する一階ユニットは、前記基礎上に前記横架材としての前記床梁が配設されることにより設置されており、前記防鼠部材は、伸縮可能に構成されているとともに、前記各一階ユニットごとにそれぞれ設けられて各々の一階ユニットの前記床梁に固定されており、隣り合う各一階ユニットの隣接する前記防鼠部材のうち少なくともいずれか一方が他方に向けて伸張されて互いに一部重複した状態にあり、その重複状態を保持しながらそれら各防鼠部材を互いに結合する結合手段が設けられていることを特徴とする。
【００２３】
本発明によれば、床梁に防鼠部材が固定された各一階ユニットをそれぞれ基礎上に設置し、その後隣り合う一階ユニットの各防鼠部材のうち少なくともいずれか一方を他方に向けて伸張させることで互いに一部重複させ、その重複状態で結合手段により各防鼠部材を結合することができる。これにより、防鼠部材を隣り合う一階ユニットに跨がって連続して配置することができるため、各一階ユニットの間の境界部（ユニット境界部）を通じて鼠等の小動物が床下空間に侵入するのを抑制することができる。また、ユニット境界部に対して別途専用の防鼠部材を設置してもかかる効果を得ることは可能であるが、本発明では専用の防鼠部材を設置することなくかかる効果を得ることが可能である。
【００２４】
第８の発明の防鼠部材の設置構造は、第１乃至第６のいずれかの発明において、前記建物は、床梁、天井梁及び柱を有する直方体状の枠体と、前記枠体の側面に前記床梁及び前記天井梁に取り付けられた状態で設けられる外壁パネルとを有してなる複数の建物ユニットが互いに連結されてなるユニット式の建物であり、前記複数の建物ユニットのうち建物一階部分を構成する一階ユニットは、前記基礎上に前記横架材としての前記床梁が配設されることにより設置されており、前記防鼠部材は、前記基礎に対して固定されているとともに、隣り合う一階ユニットに跨がって延びそれら各一階ユニットの前記床梁の前記対向面部となる下面に押し付けられて弾性変形した状態で設けられていることを特徴とする。
【００２５】
ユニット式建物の場合、一階ユニットの床梁に防鼠部材を固定する構成とすると、一階ユニットごとに防鼠部材が設けられることとなるため、隣り合う一階ユニット間（ユニット境界部）で防鼠部材の連続性が途切れてしまうおそれがある。この場合、基礎上に各一階ユニットを設置して防鼠部材の設置を行った後、ユニット境界部に別途防鼠部材を設置する作業が生じうる。この点本発明では、基礎に対して防鼠部材を固定し、その防鼠部材を隣り合う一階ユニットに跨がって延びるように設けたため、ユニット境界部で防鼠部材が途切れることがない。したがって、ユニット境界部に別途防鼠部材を設置する必要がなく、防鼠部材の設置工数低減等を図ることができる。
【００２６】
第９の発明の防鼠部材の設置方法は、基礎の上方には当該基礎に沿って横架材が設けられ、前記基礎と前記横架材との間には通気用の隙間が形成されている建物に適用され、前記隙間を通じて鼠等の小動物が床下空間へ侵入するのを防止する防鼠部材を設置する防鼠部材の設置方法において、前記基礎の上面及び前記横架材の下面は前記隙間を挟んで対向する一対の対向面部となっており、前記基礎及び前記横架材のうちいずれか一方に対して前記防鼠部材を固定する防鼠部材固定工程と、前記防鼠部材固定工程の後、前記横架材を前記基礎上に設置するに際し、前記防鼠部材を他方の前記対向面部に押し付けることで弾性変形させ、該弾性変形させた状態で当該防鼠部材を設置する防鼠部材設置工程と、を備えることを特徴とする。
【００２７】
本発明によれば、防鼠部材の設置に際して、まず防鼠部材を基礎及び横架材のうちいずれか一方に固定し、その後基礎上に横架材を設置する。この設置の際、前記一方に固定した防鼠部材を他方の対向面部に押し付けて弾性変形させ、その弾性変形状態で防鼠部材を設置する。これにより、横架材を基礎上に設置すると同時に防鼠部材を設置することができ、しかも防鼠部材が他方の対向面部に押し付けられて弾性変形状態で設置されるため防鼠部材の位置合わせ作業が不要となる。よって、この場合、防鼠部材の設置作業を容易とすることができる。
【００２８】
第１０の発明の防鼠部材の設置方法は、第９の発明において、前記建物は、床梁、天井梁及び柱を有する直方体状の枠体と、前記枠体の側面に前記床梁及び前記天井梁に取り付けられた状態で設けられる外壁パネルとを有してなる複数の建物ユニットが互いに連結されてなるユニット式の建物であり、前記複数の建物ユニットのうち建物一階部分を構成する一階ユニットは、前記基礎上に前記横架材としての前記床梁が配設されることにより設置されており、前記防鼠部材固定工程では、前記基礎及び前記一階ユニットの前記床梁のうちいずれか一方に前記防鼠部材を固定し、前記防鼠部材設置工程では、前記床梁を前記基礎上に設置することで前記一階ユニットを当該基礎上に設置するに際し、前記防鼠部材を前記他方の前記対向面部に押し付けて弾性変形させ、該弾性変形させた状態で当該防鼠部材を設置することを特徴とする。
【００２９】
本発明によれば、防鼠部材の設置に際して、まず防鼠部材を基礎及び一階ユニットの床梁のうちいずれか一方に固定し、その後基礎上に一階ユニットを設置する。このユニット設置の際、前記一方に固定した防鼠部材を他方の対向面部に押し付けて弾性変形させ、その弾性変形状態で防鼠部材を設置する。これにより、建物ユニットの設置と同時に防鼠部材を設置することができるため、上記第２の発明と同様の効果を得ることができる。
【００３０】
ここで、防鼠部材固定工程では、製造工場において防鼠部材を一階ユニットの床梁に固定し、防鼠部材設置工程では、施工現場において基礎上に一階ユニットの床梁を設置するに際し、床梁に固定した防鼠部材を基礎の対向面部に押し付けて弾性変形させ該弾性変形状態で当該防鼠部材を設置するようにしてもよい。そうすれば、施工工数の削減を図ることができる。
【図面の簡単な説明】
【００３１】
【図１】基礎と建物ユニットとの境界部周辺を示す断面図であり、（ａ）が基礎上に建物ユニットを設置した状態を示し、（ｂ）が基礎上から建物ユニットを離間させた状態を示している。
【図２】防鼠部材の正面図。
【図３】建物ユニットを示す斜視図。
【図４】防鼠部材を設置する設置手順を説明するための説明図。
【図５】他の実施形態における防鼠部材の設置構造を示す断面図。
【図６】他の実施形態における防鼠部材の設置構造を示す断面図。
【図７】他の実施形態における防鼠部材の設置構造を示す正面図。
【図８】他の実施形態における防鼠部材の設置構造を示す正面図。
【図９】他の実施形態における防鼠部材の設置構造を示す斜視図。
【発明を実施するための形態】
【００３２】
以下に、本発明を具体化した一実施の形態について図面を参照しつつ説明する。本実施形態では、鉄骨ラーメン構造によるユニット式建物に本発明を具体化しており、そのユニット式建物は、周知のとおり複数の建物ユニットを結合させて構築されるものとなっている。これらの建物ユニットは、それぞれユニット製造工場にてあらかじめ製造され、その後、建築現場にトラック等により搬送される。そして、建築現場においてそれらの建物ユニットが基礎上において互いに結合され建物が構築されるものとなっている。そこでまず建物ユニットの構成について図３を用いて簡単に説明する。図３は建物ユニットを示す斜視図である。
【００３３】
図３は、建物ユニット２０の構成を示す斜視図である。図３に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。
【００３４】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。また、建物ユニット２０の側面には、外壁パネル３１（図１参照）や内壁パネル（図示略）が設けられている。
【００３５】
次に、基礎とその上方に設置される建物ユニット２０との境界部周辺の構成を図１に基づいて説明する。図１は基礎と建物ユニット２０との境界部周辺を示す断面図であり、（ａ）が基礎上に建物ユニット２０を設置した状態を示し、（ｂ）が基礎上から建物ユニット２０を離間させた状態を示している。
【００３６】
図１（ａ）及び（ｂ）に示すように、基礎１１は鉄筋コンクリート造の布基礎からなり、建物外周部に沿って設けられている。基礎１１の天端１３上には、図示しないスペーサが基礎１１に沿って所定の間隔で複数設けられている。それらのスペーサ上には建物１０の一階部分を構成する建物ユニット２０（一階ユニットに相当）の床大梁２３が設置されている。床大梁２３は、基礎１１に沿って延びるように設けられ、その開口部を屋内側に向けた状態で配置されている。この場合、床大梁２３が横架材に相当する。
【００３７】
基礎１１の天端１３と床大梁２３の下面（詳しくは下フランジ部２３ａの下面）との間には上記スペーサの高さ分の隙間が形成されている。この隙間は基礎１１により囲まれた内側空間（つまり床下空間Ｘ）と屋外とを連通する換気隙間１６となっている。この換気隙間１６を通じて床下空間Ｘへの外気の出入りが、すなわち床下空間Ｘの換気が行われるようになっている。なおここで、換気隙間１６を挟んで上下に対向する基礎１１の天端１３（上面）と床大梁２３の下フランジ部２３ａの下面とがそれぞれ対向面部に相当する。また、本実施形態では換気隙間１６の上下高さＬ１が例えば１０ｍｍに設定されている。
【００３８】
床大梁２３のウェブ部２３ｂには、外壁パネル３１が取り付けられている。外壁パネル３１は、断面コ字状の軽量形綱（軽溝形綱）よりなる下地フレーム３２と、その下地フレーム３２に固定される矩形平板状の外壁材（窯業系サイディング板等）３３とを備え、それら下地フレーム３２と外壁材３３とがタッピングネジ等により接合固定されている。
【００３９】
下地フレーム３２の下枠部３２ａは相対向する内側フランジ部Ｆ１及び外側フランジ部Ｆ２を有しており、内側フランジ部Ｆ１が床大梁２３のウェブ部２３ｂの外側面に固定されている。具体的には、内側フランジ部Ｆ１及び床大梁２３のウェブ部２３ｂにはそれぞれ貫通孔部３４，３５が形成されており、それら各貫通孔部３４，３５にそれぞれボルト３６が挿通されてナット３７と締結されている。これにより、下地フレーム３２が床大梁２３に固定されている。
【００４０】
なお、図面上には現れていないが、下地フレーム３２の上枠部は天井大梁２２のウェブ部に対してこれと同様に固定されている。したがって、このように下地フレーム３２が床大梁２３及び天井大梁２２に固定されることにより、外壁パネル３１が建物ユニット２０に固定されている。
【００４１】
ちなみに、ユニット式建物では、複数の外壁パネル３１が横並びの状態で組み付けられている。隣接する外壁パネル３１がその下地フレーム３２同士で接合され、ボルト及びナット等の締結具により互いに連結固定されるようになっている。
【００４２】
下地フレーム３２の下枠部３２ａ（詳細には外側フランジ部Ｆ２）はその一部が外壁材３３の下端よりも下方にはみ出しており、そのはみ出したはみ出し部４３には水切部材３８がビス３９により取り付けられている。水切部材３８は、外壁パネル３１の横幅方向に沿った長尺状とされ、例えばアルミニウム製の押し出し成形品からなる。水切部材３８は、はみ出し部４３に取り付けられた取付部３８ａから屋外側に延びる横板部３８ｂと、横板部３８ｂの屋外側端部から下方に延びる縦板部３８ｃとを有している。縦板部３８ｃは、外壁材３３の表面（外壁面）よりも屋外側に位置しており、基礎１１の天端１３よりも下方に延びている。この場合、外壁材３３の外壁面を伝って流下した水はまず水切部材３８において横板部３８ｂ上に落ち、その後横板部３８ｂ上を伝って縦板部３８ｃの表面（水切面）に導かれる。これにより、外壁材３３を伝って流下した雨水等が基礎１１よりも屋外側に排出されるようになっている。
【００４３】
床大梁２３のウェブ部２３ｂには、防鼠部材４０が固定されている。防鼠部材４０は、鼠等の小動物が屋外から床下空間Ｘへ侵入するのを防止するための部材である。本実施形態では、この防鼠部材４０の設置構造に特徴を有しており、以下かかる設置構造について図１に加え図２を用いながら説明する。図２は、防鼠部材４０の正面図である。
【００４４】
図１及び図２に示すように、防鼠部材４０は、弾性を有する金属材料により板状に形成されており、例えばバネ材よりなる。防鼠部材４０は、床大梁２３の長手方向に沿って長尺状に形成されており、詳しくは床大梁２３の長手方向全域に亘って延びている。防鼠部材４０は、その上部が床大梁２３のウェブ部２３ｂと下地フレーム３２の下枠部３２ａ（内側フランジ部Ｆ１）との間に挟み込まれた状態で設けられ、その挟み込み状態で床大梁２３に固定されている。具体的には、防鼠部材４０の挟み込み状態において、ボルト３６が下枠部３２ａの貫通孔部３４と防鼠部材４０の貫通孔部４２と床大梁２３のウェブ部２３ｂの貫通孔部３５とにそれぞれ挿通されてナット３７と締結されている。
【００４５】
防鼠部材４０は、その一部が床大梁２３の下フランジ部２３ａの下面よりも下方に延出しており、その延出した部分が延出部４５となっている。延出部４５は、換気隙間１６を屋外側から閉鎖するように配置されており、これにより鼠等の小動物が換気隙間１６を通じて床下空間Ｘへ侵入するのが防止されている。
【００４６】
延出部４５は、その下端側が基礎１１の天端１３に押し付けられた状態で設けられている。この場合、延出部４５は、その押し付けによって屋外側に弾性曲げ変形された状態とされている。具体的には、延出部４５は下方に向かうにつれて屋外側に傾斜するように湾曲しており、その端部（短手方向において上端部側とは反対側の端部）が屋外側を向いている。
【００４７】
ここで防鼠部材４０は、図１（ｂ）に示すように、自然状態すなわち天端１３に対して押し付けられていない状態では平板状をなしている。そして、この自然状態では、防鼠部材４０の延出部４５の上下長さＬ２（短手方向の長さ）が換気隙間１６の上下高さＬ１よりも大きくなっており、例えば２０ｍｍとなっている。これにより、床大梁２３が基礎１１上に設置された状態では、図１（ａ）に示すように、延出部４５が基礎１１の天端１３に押し付けられて屋外側に曲げ変形されるようになっている。
【００４８】
防鼠部材４０は、厚み方向に貫通する複数の通気孔部４１を有している。それら各通気孔部４１は、防鼠部材４０の長手方向に沿って所定の間隔で配置されている。各通気孔部４１は鼠等の小動物の侵入を阻止できる程度の大きさで形成され、かつ、上下に延びる長孔形状で形成されている。通気孔部４１は、防鼠部材４０の設置状態において延出部４５に位置している。これにより、防鼠部材４０（延出部４５）が換気隙間１６を屋外側から閉鎖するように配設されている構成にあって、換気隙間１６（及び通気孔部４１）を介した床下空間Ｘの換気が可能となっている。なお、通気孔部４１の孔形状は小動物の侵入を阻止することができれば長孔形状に限定されることなく、円形状等その他の形状としてもよい。
【００４９】
基礎１１の天端１３上にはガイド部材５０が設けられている。ガイド部材５０は、上方に凸となる山形状（三角状）をなしており、基礎１１の延びる方向に沿って所定の間隔で複数配置されている。ガイド部材５０は、基礎１１の天端１３上に接着剤により固定された固定面部５１と、屋外側に向かうにつれて下方傾斜する傾斜面部５２とを有している。ガイド部材５０は、防鼠部材４０において床大梁２３に固定されている固定部位、換言すると防鼠部材４０において床大梁２３のウェブ部２３ｂと下枠部３２ａの内側フランジ部Ｆ１との間に挟み込まれている挟み込み部位の真下（鉛直方向下側）に配設されている。具体的には、ガイド部材５０は、傾斜面部５２が防鼠部材４０の上記固定部位の真下に位置するように配置されている。なお、ガイド部材５０は、基礎１１の天端１３上において防鼠部材４０の長手方向に沿って長尺状に形成されていてもよい。
【００５０】
次に、ユニット式建物１０において防鼠部材４０を設置する際の設置手順について図４に基づいて説明する。なお、図４は防鼠部材４０を設置する設置手順を説明するための説明図である。
【００５１】
ユニット製造工場では、図４（ａ）に示すように、建物１０の一階部分を構成する建物ユニット２０の床大梁２３に防鼠部材４０を固定する防鼠部材固定工程を行う。この工程では、防鼠部材４０の上部を外壁パネル３１の下地フレーム３２の下枠部３２ａとともに床大梁２３のウェブ部２３ｂにボルト３６及びナット３７を用いて共締め固定する。
【００５２】
各建物ユニット２０を製造した後、各建物ユニット２０をトラックにより施工現場へ搬送する（図４（ｂ））。
【００５３】
施工現場では、まず基礎１１上に一階部分を構成する建物ユニット２０を設置する設置作業を行う。この設置作業はクレーンにより建物ユニット２０を吊り下げ支持した状態で同ユニット２０を基礎１１上に下ろすことにより行われる。また、建物ユニット２０の設置は同ユニット２０の床大梁２３を基礎１１の天端１３上に設置することにより行われる。
【００５４】
ここで、本実施形態では、かかる建物ユニット２０の設置の際に、床大梁２３に固定された防鼠部材４０を基礎１１の天端１３上に押し付けて弾性曲げ変形させ、その曲げ変形させた状態で当該防鼠部材４０を所定の位置に設置するようにしている。この工程が防鼠部材設置工程に相当するものであり、以下この工程の流れについて説明する。
【００５５】
建物ユニット２０を基礎１１上に設置する際には、まず図４（ｃ）に示すように、建物ユニット２０をクレーンで吊り下げた状態で同ユニット２０の床大梁２３を基礎１１上方に配置する。この場合、防鼠部材４０は自然状態とされ、上下（鉛直）方向に延びた状態となっている。
【００５６】
建物ユニット２０を基礎１１に向かって下ろしていくと、図４（ｄ）に示すように、防鼠部材４０の下端部が基礎１１上のガイド部材５０の傾斜面部５２に到達しその後当該傾斜面部５２に沿って屋外側（下方）にスライドしていく。この場合、そのスライドに伴って防鼠部材４０（延出部４５）が屋外側に向かって曲げ変形（弾性変形）していく。
【００５７】
さらに建物ユニット２０を基礎１１に向かって下ろしていくと、図４（ｅ）に示すように、建物ユニット２０が基礎１１上の所定位置に設置される。この場合、防鼠部材４０の下端部は傾斜面部５２上から基礎１１の天端１３上へとその位置を移し、防鼠部材４０は基礎１１の天端１３に押し付けられ屋外側に曲げ変形した状態で設置される。
【００５８】
以上、詳述した本実施形態の構成によれば、以下の優れた効果が得られる。
【００５９】
防鼠部材４０を（建物１０の一階部分を構成する）建物ユニット２０の床大梁２３及び基礎１１のうち床大梁２３に対してのみ固定するとともに、基礎１１の天端１３に押し付けて弾性変形させた状態で設置した。この場合、防鼠部材４０の設置に際しては、まず防鼠部材４０を建物ユニット２０の床大梁２３に固定し、その後床大梁２３を基礎１１上に配設することにより建物ユニット２０を基礎１１上に設置する。このユニット２０設置の際には、床大梁２３に固定した防鼠部材４０を基礎１１の天端１３に押し付けて弾性変形させ、該弾性変形させた状態で防鼠部材４０を設置する。これにより、建物ユニット２０の設置と同時に防鼠部材４０を設置することが可能となる。また、防鼠部材４０は基礎１１の天端１３に押し付けられて弾性変形した状態で設置されるため、防鼠部材４０の下端部を基礎１１の天端１３に位置合わせする作業を不要とすることができる。よって、この場合、防鼠部材４０の設置作業を容易とすることができる。
【００６０】
特に、ユニット式建物では、建物ユニット２０を基礎１１上に設置した後防鼠部材４０の取付作業を行うとなると、外壁パネル３１下での作業となるため作業性が著しく悪くなる。この点に鑑みると、ユニット式建物に対して上述した防鼠部材４０の設置構造を適用する意義は大きいものといえる。
【００６１】
また、防鼠部材４０を基礎１１の天端１３に押し付けて弾性変形させた状態で設置する構成では、防鼠部材４０が基礎１１の天端１３に対して自らの弾性力により付勢された状態で設けられる。この場合、鼠等の小動物が防鼠部材４０を基礎１１の天端１３から離間させて防鼠部材４０と天端１３との間に隙間を形成することを困難にすることができるため、小動物の床下空間Ｘへの侵入を好適に防止することができる。また、降雨を伴った強風時に防鼠部材４０と基礎１１の天端１３との間を通じて雨水が床下空間Ｘに入り込むのを抑制することができる利点も得られる。
【００６２】
さらに、防鼠部材４０を弾性変形させた状態で設置する構成では、基礎１１の天端１３と床大梁２３の下面との間に形成される換気隙間１６の上下寸法（隙間幅）にばらつきが生じても弾性変形によってそれを吸収することができるため、ばらつきの程度にかかわらず防鼠部材４０を好適に設置することが可能となる。
【００６３】
防鼠部材４０を板材により形成し、基礎１１の天端１３に押し付けて弾性曲げ変形させた状態で設けた。この場合、例えば防鼠部材が基礎１１の天端１３に押し付けられて圧縮変形（上下方向への弾性圧縮変形）した状態で設置される構成と比べて、基礎１１と床大梁２３との間の換気隙間１６のばらつきに追従させ易いという利点がある。
【００６４】
具体的には、防鼠部材４０を基礎１１の天端１３に押し付けて屋外側に弾性曲げ変形させた状態で設けた。この場合、鼠等の小動物が屋外側から防鼠部材４０をこじ開ける等して防鼠部材４０と基礎１１の天端１３との間から床下空間Ｘへ侵入するのを極めて困難とすることができる。これにより、小動物の床下への侵入防止効果を高めることができる。
【００６５】
基礎１１の天端１３に屋外側に向かうにつれて下方傾斜する傾斜面部５２を有するガイド部材５０を設け、そのガイド部材５０を防鼠部材４０において床大梁２３に固定されている固定部位の真下位置に傾斜面部５２が位置するよう配置した。この場合、防鼠部材４０を建物ユニット２０の床大梁２３に固定した状態で同ユニット２０を基礎１１上に設置する際、防鼠部材４０の下端部がガイド部材５０の傾斜面部５２上に沿って屋外側に案内される。つまり、この場合、防鼠部材４０をガイド部材５０によって屋外側に弾性曲げ変形するように導くことができるため、防鼠部材４０を確実に屋外側に曲げ変形した状態で設置することができる。
【００６６】
防鼠部材４０を床大梁２３に固定するにあたり、防鼠部材４０を床大梁２３と外壁パネル３１の下地フレーム３２（下枠部３２ａ）との間に挟み込んで固定した。これにより、防鼠部材４０を床大梁２３に強固に固定することができる。防鼠部材４０を弾性変形させた状態で設置する構成では、防鼠部材４０に生じる弾性力の反力が防鼠部材４０の固定部位に作用することとなるためある程度の固定強度が求められる。この点を鑑みると、かかる構成は防鼠部材４０を安定した状態で固定する上で好ましい構成といえる。
【００６７】
本発明は上記実施形態に限らず、例えば次のように実施されてもよい。
【００６８】
（１）上記実施形態では、防鼠部材４０を床大梁２３に対して固定し基礎１１の天端１３（対向面部に相当）に押し付けた状態で設置する構成としたが、これを変更して、防鼠部材４０を基礎１１に対して固定し床大梁２３（詳しくは下フランジ部２３ａ）の下面（対向面部に相当）に押し付けた状態で設置する構成としてもよい。この場合であっても、建物ユニット２０を基礎１１上に設置する際、基礎１１に固定された防鼠部材４０を床大梁２３の下面に押し付けることで曲げ変形（弾性曲げ変形）させ、その曲げ変形した状態で防鼠部材４０を設置することができる。なお、基礎１１に防鼠部材４０を固定するための構成としては、基礎１１内に防鼠部材４０の下端部を埋設させて固定する構成が考えられる。これは例えば基礎１１の打設時に防鼠部材４０の下端部を基礎型枠内に配置した状態で同型枠内にコンクリートを流し込み打設することで実現することができる。
【００６９】
また、防鼠部材４０を基礎１１に対して固定する構成とする場合、防鼠部材を隣り合う各建物ユニット２０に跨がって延びるように形成することが望ましい。そうすれば、防鼠部材を建物ユニット２０の床大梁２３に固定する場合とは異なり、隣り合う建物ユニット２０間の境界部（ユニット境界部）で防鼠部材４０が途切れてしまうことがないため、各建物ユニット２０を基礎１１上に設置した後、ユニット境界部に別途防鼠部材を設置するといった作業が不要となる。そのため、ユニット式の建物１０において防鼠部材を設置する上で設置工数の低減を図ることができる。
【００７０】
（２）上記実施形態では、基礎１１上に設けたガイド部材５０により、基礎１１上に建物ユニット２０を設置する際防鼠部材４０が屋外側に曲げ変形するよう導く構成としたが、防鼠部材４０の屋外側への曲げ変形を導く手段は必ずしもこれに限定されない。例えば、かかる曲げ導き手段を防鼠部材４０自身に設けてもよい。その具体例を以下に説明する。
【００７１】
図５に示す防鼠部材６０は、その自然状態において屋外側に曲げ変形された曲げ部６１（曲げ導き手段に相当）を有している。この場合、図５（ａ）に示すように、建物ユニット２０を基礎１１上に設置する際、基礎１１の天端１３上に防鼠部材６０の下端部すなわち曲げ部６１の下端部が押し付けられると、その後図５（ｂ）に示すように、曲げ部６１がさらに屋外側へと曲げ変形される。したがって、この場合においても、建物ユニット２０を基礎１１上に設置する際、防鼠部材６０が屋外側に曲げ変形されるよう導くことが可能となる。
【００７２】
また、図６に示す防鼠部材６５は、上下に並べて設けられた下側縦板６６及び上側縦板６７と、それら各縦板６６，６７を回動可能に連結する連結部材６８（曲げ導き手段に相当）とを備える。この場合、下側縦板６６は基礎１１に対して固定されている。連結部材６８は、上側縦板６７を下側縦板６６に対して屋内側に傾倒させる側への回動を規制する回動規制手段（ストッパ）を有している。すなわち、防鼠部材６５において上側縦板６７は下側縦板６６に対して屋外側に傾倒する側への回動のみが許容されている。連結部材６８は、コイルバネを含んで構成され、下側縦板６６に対して上側縦板６７が展開される側（すなわち両縦板６６，６７が上下に並ぶ側）に向けて当該上側縦板６７を常時付勢している。防鼠部材６５の自然状態（すなわち防鼠部材６５に外力が付与されていない状態）では、図６（ａ）に示すように、防鼠部材６５が上下に並んでその高さ寸法Ｌ３が換気隙間１６の上下高さＬ１よりも大きくなっている。
【００７３】
防鼠部材６５は、図６（ｂ）に示すように、基礎１１と床大梁２３との間の換気隙間１６に配設され、その配設状態において上側縦板６７が床大梁２３の下面に押し付けられることにより下側縦板６６に対して屋外側に傾倒した状態となっている。この場合、上側縦板６７には連結部材６８のコイルバネによって当該縦板６７が下側縦板６６に対して展開する側（換言すると屋内側）へ向けた付勢力が作用するため、上側縦板６７の上端部は床大梁２３の下面に密着されている。
【００７４】
上記の構成では、上側縦板６７が下側縦板６６に対して屋内側へ傾倒することが禁止されているため、建物ユニット２０を基礎１１上に設置するに際し、床大梁２３の下面に対して防鼠部材６５の上側縦板６７が押し付けられると、上側縦板６７が下側縦板６６に対して屋外側に傾倒される。したがって、この場合にも、防鼠部材６５が屋外側に曲げ変形するよう導くことが可能となる。以上のように、図５及び図６に示す防鼠部材６０，６５によれば、基礎１１や床大梁２３にガイド部材５０を設ける必要がなく、構成が煩雑化するのを抑制しながら防鼠部材６０，６５の屋外側への曲げ変形を導くことができる。
【００７５】
（３）上記実施形態では、防鼠部材４０を基礎１１の天端１３に押し付けて屋外側に曲げ変形させた状態で設置したが、これを変更し、屋内側に曲げ変形させた状態で設置してもよい。
【００７６】
（４）上記実施形態では、弾性を有する板材よりなる防鼠部材４０を基礎１１の天端１３上に押し付けて弾性曲げ変形させた状態で設置したが、防鼠部材４０は必ずしも曲げ変形させた状態で設置する必要はない。例えば、防鼠部材を上下方向の弾性を有する材料（例えばゴム材など）により板状に形成し、当該防鼠部材を基礎１１の天端１３上に押し当てて圧縮変形（弾性圧縮変形）させてもよい。この場合においても、建物ユニット２０を基礎１１上に設置する際に、防鼠部材を基礎１１の天端１３に押し付けることにより圧縮変形させ、該圧縮変形状態で防鼠部材を設置することができる。
【００７７】
（５）建物ユニット２０ごとにそれぞれ防鼠部材４０を設ける構成では、隣り合う建物ユニット２０の間の境界部（ユニット境界部）において防鼠部材４０が途切れてしまうおそれがある。その場合、ユニット境界部を通じて鼠等の小動物が床下空間Ｘへ侵入することが懸念される。そこで、この対策として例えば図７又は図８に示すような構成としてもよい。
【００７８】
図７に示す防鼠部材７０は、伸縮性を有する複数の金属線が編み込まれることによりメッシュ状に形成され、長手方向（横方向）に伸縮可能とされている。この場合、防鼠部材７０の網目（複数の金属線により囲まれた内側領域）が通気孔部となっており、その網目の大きさが鼠等の小動物が通過することができない程度の大きさに設定されている。また、防鼠部材７０は、その自然状態における長さ（長手方向の長さ）が建物ユニット２０の横幅（詳しくは当該防鼠部材７０が配置された建物ユニット２０の側面部の横幅）よりも短くなっている。したがって、図７（ａ）に示すように、各建物ユニット２０が基礎１１上に設置されて各建物ユニット２０の防鼠部材７０がそれぞれ配設された状態では、隣り合う建物ユニット２０の隣接する防鼠部材７０同士（以下、これら各防鼠部材７０の符号にそれぞれＡ，Ｂを付す）が互いに離間されて配置される。また、各防鼠部材７０Ａ，７０Ｂのうち少なくともいずれか一方の防鼠部材７０Ａ（７０Ｂ）には、他方の防鼠部材７０Ｂ（７０Ａ）に対して係合可能な係合部としてフック部７１が取り付けられている。なおここで、フック部７１が結合手段に相当する。
【００７９】
本例では、建物ユニット２０を基礎１１上に設置後（すなわち防鼠部材７０の設置後）、図７（ｂ）に示すように、隣接する防鼠部材７０Ａ，７０Ｂのうち少なくともいずれか一方の防鼠部材７０Ａ（７０Ｂ）が他方の防鼠部材７０Ｂ（７０Ａ）の側に向けて引っ張られることで各防鼠部材７０Ａ，７０Ｂが互いに一部重複した状態とされ、その重複状態で防鼠部材７０Ａのフック部７１が防鼠部材７０Ｂに係合されることにより両防鼠部材７０Ａ，７０Ｂが互いに結合される。これにより、防鼠部材７０Ａ，７０Ｂが隣り合う建物ユニット２０に跨がって連続して配置されるため、ユニット境界部を通じて鼠等の小動物が床下空間Ｘに入り込むことを抑制することができる。
【００８０】
また、防鼠部材７０の長さを建物ユニット２０の横幅よりも長くすれば、隣り合う建物ユニット２０の隣接する防鼠部材７０Ａ，７０Ｂ同士を連続配置することが可能ではあるものの、そうすると建物ユニット２０において防鼠部材７０が当該ユニット２０から側方にはみ出した状態で設けられるため、基礎１１上に先付けした建物ユニット２０の隣りに後付けの建物ユニット２０を設置する際に先付けユニット２０の防鼠部材７０のはみ出し部が邪魔となる可能性がある。この点、上述したように防鼠部材７０の長さを建物ユニット２０の横幅よりも短くして防鼠部材７０を伸縮可能とした上記の構成によれば、建物ユニット２０を設置する際にかかる不都合が生じることがなく、建物ユニット２０の設置作業を好適に行える。
【００８１】
これに対して、図８に示す防鼠部材７５は長手方向に伸縮不能に構成されている。例えば、防鼠部材７５を構成する複数の金属線が伸縮性を有しない材料により形成されている。本例では、隣り合う建物ユニット２０の隣接する防鼠部材７５同士の間にそれら各防鼠部材７５を繋ぐ繋ぎ部材７６が設けられている。繋ぎ部材７６は、防鼠部材７５と同じく複数の金属線が編み込まれることによりメッシュ状に形成されてなる。繋ぎ部材７６には、幅方向の両端部にそれぞれ各防鼠部材７５に係合可能なフック部７７が設けられている。これらのフック部７７がそれぞれ各防鼠部材７５にそれぞれ係合されることで、繋ぎ部材７６が各防鼠部材７５にそれぞれ結合されている。すなわち、本例では隣接する防鼠部材７５同士が繋ぎ部材７６を介して互いに結合されている。この場合においても、各防鼠部材７５と繋ぎ部材７６とにより防鼠部材を隣り合う建物ユニット２０に跨がって連続して設けることができ、ユニット境界部からの小動物の床下への侵入を抑制することができる。
【００８２】
（６）建物１０の出隅部（コーナ部）を構成する建物ユニット２０において、防鼠部材を当該出隅部を挟んで隣り合う両側の側面部に跨がるように設けてもよい。その例を図９に示す。なお、図９では便宜上、外壁パネル３１の図示を省略している。図９に示す防鼠部材８０は、建物ユニット２０の出隅部８７に沿ったＬ字状をなしており、互いに直角をなす一対の防鼠部８１，８２を有している。それら各防鼠部８１，８２はそれぞれ建物ユニット２０において出隅部８７を挟んで隣り合う各側面部に配置され各々の側面部の床大梁２３に固定されている。また、図９（ａ）に示すように、防鼠部材８０における各防鼠部８１，８２の境界部、すなわち防鼠部材８０がＬ字状に折り曲げられている折り曲げ部分には下端から上方へ向かって直線状に延びるスリット８５が形成されている。
【００８３】
上記の防鼠部材８０は、建物ユニット２０が基礎１１上に設置された状態では、図９（ｂ）に示すように、各防鼠部８２，８３が屋外側に折り曲げられて基礎１１の天端１３に押し付けられた状態で当接している。この場合、上記のスリット８５が形成されていることで各防鼠部８２，８３が互いに制約を受けることなく屋外側に曲げ変形することが可能となっており、その結果防鼠部材８０を建物ユニット２０において出隅部８７を挟んで隣接する各側面部に跨がって設けることが可能となっている。
【００８４】
（７）上記実施形態では、床大梁２３のウェブ部２３ｂに対して防鼠部材４０を取り付けたが、これに代えて、床大梁２３の下フランジ部２３ａに防鼠部材４０を取り付けて（固定して）もよい。また、下地フレーム３２の下枠部３２ａにおける内側フランジ部Ｆ１の屋外側面に防鼠部材４０を取り付けてもよい。この場合、防鼠部材４０が下枠部３２ａを介して床大梁２３に固定される。
【００８５】
（８）上記実施形態では、ユニット式建物への適用例を説明したが、鉄骨軸組工法により構築される建物や、在来木造工法により構築される建物等、他の構造の建物にも本発明を適用することができる。例えば、在来木造工法により構築される建物では、基礎１１の天端１３上に横架材として土台が設置され、土台の下面と基礎１１の天端１３との間に屋外と床下空間とを連通する通気隙間が形成される。この場合、施工に際して、まず土台に防鼠部材４０を固定し、その後土台を基礎１１上に設置する際に防鼠部材４０を基礎１１の天端１３に押し付けて弾性曲げ変形させ、その曲げ変形状態で当該防鼠部材４０を設置することができる。これにより、土台を基礎１１上に設置すると同時に防鼠部材４０を設置することができるため、防鼠部材４０の設置作業を容易なものとすることができる。
【符号の説明】
【００８６】
１０…建物、１１…基礎、１３…対向面部としての天端、１６…隙間としての換気隙間、２０…建物ユニット、２３…横架材及び床梁としての床大梁、４０…防鼠部材、５０…ガイド部材、５２…傾斜面部。
【図１】
2013221326.tif 000003
【図２】
2013221326.tif 000004
【図３】
2013221326.tif 000005
【図４】
2013221326.tif 000006
【図５】
2013221326.tif 000007
【図６】
2013221326.tif 000008
【図７】
2013221326.tif 000009
【図８】
2013221326.tif 000010
【図９】
2013221326.tif 000011